(57)【要約】【課題】背骨と腰骨との間の関節の形状を、正常な形状である所謂「Ｓ」字状カーブにする形成力が強い腰用サポータを提供することを課題とする。【解決手段】腰用サポータ１０は、伸縮性を有する材料によって中心線２０に対して対称的な帯状の形状に形成されている。腰用サポータ１０の両端部には、互いを重ね合わせたとき、係止状態となる係止手段１１，１２が配設されている。腰用サポータ１０の上縁部は、中心線２０が通る中央部が最も高く、両端部が最も低くなるように湾曲した形状となっている。２１ａ，２１ｂ，・・・・，２４ｂは、２本の「コイルボーン」によって構成される支持部材である。３１ａ，３１ｂ，３２ａ，３２ｂは補助ベルトである。【選択図】図１
2010207436.tif 000002
【特許請求の範囲】
【請求項１】
伸縮性を有する材料によって構成された人間の身体の腰部に巻回可能な長さを有する帯状の腰用サポータにおいて、
その長さ方向が水平方向になるように展開した状態で、
左右の両端部のそれぞれには、互いを重ね合わせたときに係止状態となる着脱自在な係止手段が配設され、
前記帯状の腰用サポータの形状は、前記長さ方向の中央部を上下に通る中心線に対して略対称的となるような形状に形成され、且つ、その上縁部が、前記長さ方向の中央部で最も高く、且つ左右の両端部が最も低くなるように湾曲して形成され、
前記中心線に対して対称的になるような位置に配設された複数個の支持部材であって、前記帯状の腰用サポータの上縁部から下縁部に至るように延長している複数個の支持部材を具えたことを特徴とする腰用サポータ。
【請求項２】
前記複数個の支持部材のうち前記中心線に隣接して配設されている対になった２個の前記支持部材は前記中心線と平行となるように配設され、その他の前記中心線に対して対称的となる対になった２個の前記支持部材はその上端部間の間隔がその下端部間の間隔よりも狭くなるように配設されていることを特徴とする請求項１に記載の腰用サポータ。
【請求項３】
前記複数個の支持部材は、コイルボーンによって構成されていることを特徴とする請求項１または請求項２に記載の腰用サポータ。
【発明の詳細な説明】
【技術分野】
【０００１】
本発明は、腰痛の予防や治療に用いられる腰用サポータに関するものである。
【背景技術】
【０００２】
従来から、腰痛の予防や治療を目的として、身体の腰部に巻回させて装着する腰用サポータが用いられている。
【０００３】
図７（ａ）は、身体の腰部に巻回可能な長さを有する帯状の従来の腰用サポータ７０を、その長さ方向が水平方向となるように展開して示したものである。
【０００４】
帯状の腰用サポータ７０は、伸縮性を有する材料によって構成されており、その左右の両端部のそれぞれには、互いを重ね合わせたときに係止状態となる着脱自在な係止手段７１，７２が配設されている。この係止手段７１，７２としては、従来からマジックテープ（登録商標）が広く用いられている。
【０００５】
また、帯状の腰用サポータ７０の長さ方向の中央部を上下に通る中心線８０の両側には、複数個の支持部材８１ａ，８１ｂ，・・・・，８３ｂが配設されている。
【０００６】
この支持部材８１ａ，８１ｂ，・・・・，８３ｂは中心線８０に対して対称的な位置となるように、即ち、２個の支持部材８１ａ，８１ｂが一対となるような位置に、それぞれが中心線８０に平行となるように配設されている。図７（ｂ）に示したように、従来の支持部材は、その強度を高めるためのある程度の厚みを有する合成樹脂製の板状部材によって構成されていた。
【０００７】
図８（ａ）に示したように、人間の身体１００の背骨１０１と腰骨１０２とが背中側に突出するように湾曲した状態となった姿勢を長期間続けていると、背骨１０１と腰骨１０２との間の関節に痛みが発生しやすくなる。そこで、図７（ａ）に示した腰用サポータ７０を、その中心線８０を背骨１０１に一致させるようにして図８（ｂ）に示したように身体１００の腰部に装着すると、腰用サポータ７０の収縮力と支持部材８１ａ，８１ｂ，・・・・，８３ｂとが協働して、腰部の背中側に腹部方向に向う力Ｘを作用させることができる。
【０００８】
この力Ｘの作用によって、背中の外側方向に突出するように湾曲している背骨１０１を真っ直ぐにすることができ、その結果として、背骨１０１と腰骨１０２との間の関節の形状を、正常な状態である所謂「Ｓ］字状カーブに保つことができる。
【発明の概要】
【発明が解決しようとする課題】
【０００９】
しかしながら、以上説明した従来の腰用サポータ７０においては、背骨１０１を真っ直ぐにする力Ｘと同じ力が腰骨１０２にも作用してしまうために、背骨１０１と腰骨１０２との間の関節の形状を所謂「Ｓ」字状カーブにする形成力が弱いという問題点があった。
【００１０】
さらに、従来の腰用サポータ７０を腰部に装着した際には、図９（ａ）に示したように合成樹脂製の板状部材によって構成された複数個の支持部材８１ａ，８１ｂ，・・・・，８３ｂが、身体１００の背骨１０１と平行になるように身体１００に装着されることになるので、図９（ｂ）に示したように、身体１００がひねりにくくなってしまい、さらに、図１０に示したように、身体１００を横方向に傾けることも困難になってしまうという問題点もあった。
【００１１】
このように、従来の腰用サポータ７０においては、背骨１０１と腰骨１０２との間の関節の形状を所謂「Ｓ」字状カーブにする形成力が弱いという問題点と、身体１００に装着した場合に、使用者の運動能力を制限してしまうという問題点があった。
【課題を解決するための手段】
【００１２】
以上の問題点を解消するために、本発明は、伸縮性を有する材料によって構成された人間の身体の腰部に巻回可能な長さを有する帯状の腰用サポータにおいて、その長さ方向が水平方向になるように展開した状態で、左右の両端部のそれぞれには、互いを重ね合わせたときに係止状態となる着脱自在な係止手段が配設され、前記帯状の腰用サポータの形状は、前記長さ方向の中央部を上下に通る中心線に対して略対称的となるような形状に形成され、且つ、その上縁部が、前記長さ方向の中央部で最も高く、且つ左右の両端部が最も低くなるように湾曲して形成され、前記中心線に対して対称的になるような位置に配設された複数個の支持部材であって、前記帯状の腰用サポータの上縁部から下縁部に至るように延長している複数個の支持部材を具えたことを特徴とするものである。
【００１３】
ここで、前記複数個の支持部材のうち前記中心線に隣接して配設されている対になった２個の前記支持部材は前記中心線と平行となるように配設され、その他の前記中心線に対して対称的となる対になった２個の前記支持部材はその上端部間の間隔がその下端部間の間隔よりも狭くなるように配設されていてもよく、さらに、前記複数個の支持部材は、コイルボーンによって構成されていてもよい。
【発明の効果】
【００１４】
本発明によれば、背骨と腰骨との間の関節の形状を、正常な形状である所謂「Ｓ」字状カーブにする形成力が強い腰用サポータを提供することができる。さらに本発明によれば、装着した際に使用者の運動能力を制限しない腰用サポータを提供することができる。
【図面の簡単な説明】
【００１５】
【図１】本発明の実施例１の構成を示す構成図である。
【図２】本発明の実施例１の使用方法の説明図である。
【図３】本発明の実施例１の使用方法の説明図である。
【図４】本発明の実施例１の使用方法の説明図である。
【図５】本発明の実施例１の動作の説明図である。
【図６】本発明の実施例１の動作の説明図である。
【図７】従来の腰用サポータの構成を示す構成図である。
【図８】従来の腰用サポータの動作の説明図である。
【図９】従来の腰用サポータの説明図である。
【図１０】従来の腰用サポータの説明図である。
【発明を実施するための形態】
【００１６】
以下、図面を用いて本発明の実施例について説明する。
【実施例１】
【００１７】
図１（ａ）は、本発明の実施例１に係る帯状の腰用サポータ１０を、その長さ方向が水平方向となるように展開して示した図である。図１（ｂ）は、図１（ａ）に示した腰用サポータ１０を裏側（身体に密着する側）から視た図であり、図１（ｃ）はその一部の拡大図である。
【００１８】
図１（ａ）において、腰用サポータ１０は伸縮性を有する材料によって構成されており、その左右の両端部には、互いを重ね合わせたときに係止状態となる着脱自在な係止手段１１，１２が配設されている。この係止手段１１，１２は、従来の腰用サポータと同様のマジックテープ（登録商標）によって構成されている。
【００１９】
本実施例１に係る腰用サポータ１０の形状は、その長さ方向の中央部を上下に通る中心線２０に対して対称的な形状に形成されている。ここで、本実施例１に係る腰用サポータにおいては、図１（ａ）に示したように、その上縁部の形状が中央部が最も高く、両端部が最も低くなるように湾曲して形成されている。
【００２０】
２１ａ，２１ｂ，・・・・，２４ｂは、中心線２０に対して対称的になるような位置に配設されている複数個の支持部材である。
【００２１】
この支持部材２１ａ，２１ｂ，・・・・，２４ｂのうち、中心線２０に隣接して配設されている対になった２個の支持部材２１ａ，２１ｂは、中心線と平行に、腰用サポータ１０の上縁部から下縁部に至るように延長して配設されている。その他の支持部材２２ａ，２２ｂ，・・・・，２４ｂは、対になっている２個の支持部材に注目した場合、例えば２２ａと２２ｂの２個の支持部材に注目した場合、その上端部間の間隔がその下端部間の間隔よりも狭くなるように、即ち「ハ」の字状の形状になるように中心線２０に対して対称的にそれぞれが配設されている。
【００２２】
支持部材２１ａ，２１ｂ，・・・・，２４ｂをこのように配設した理由は、腰用サポータ１０を身体に装着した際、各支持部材が身体のラインに沿って上下方向に位置するようにするためである。
【００２３】
なお、本実施例１においては、各支持部材２１ａ，２１ｂ，・・・・，２４ｂのそれぞれを、図１（ｃ）に示したように２本の「コイルボーン」によって構成してある。
【００２４】
この「コイルボーン」は、コイル状のばねを、その長さ方向に偏平となるように加工されたものであり、従来から膝用サポータに用いられているものである。この「コイルボーン」は、初期の形状を保つように動作するとともに、前後、左右に容易に変形させることができるものである。本実施例１では、図１（ｃ）に示したように１個の支持部材を２本の「コイルボーン」によって構成してあるが、この「コイルボーン」の本数は２本に限定されるものではなく、１本であっても３本以上であってもよい。
【００２５】
３１ａ，３１ｂ，３２ａ，３２ｂは、その一端が腰用サポータ１０に固定され、他端に腰用サポータ１０に着脱自在に係止可能な係止手段３３ａ，３３ｂが配設された伸縮性を有する材料からなる補助ベルトである。なお、係止手段３３ａは、補助ベルト３１ａ，３２ａの共用の係止手段となっており、係止手段３３ｂは、補助ベルト３１ｂ，３２ｂの共用の係止手段となっている。この係止手段３３ａ，３３ｂもマジックテープ（登録商標）によって構成されている。
【００２６】
次に、以上のように構成された本実施例１の使用方法について説明する。
【００２７】
本実施例１に係る腰用サポータ１０を身体に装着するには、先ず、図２（ａ）に示したように、中心線２０を背骨の延長線上に合わせるように身体１００にあてて、この状態を保ちながら図２（ｂ）に示したように、腰用サポータ１０を伸ばして身体１００にフィットさせるようにして腰部に巻き付ける。
【００２８】
次に、図３（ａ）に示したように、腰用サポータ１０の左右の両端部を重ね合わせて互いに係止状態にさせる。この状態で、補助ベルト３１ａ，３１ｂ，３２ａ，３２ｂを伸ばして、この補助ベルトが図３（ｂ）に示したように腰部の上部で交互するような位置にして、その端部の係止手段３３ａ，３３ｂを、腰用サポータ１０に係止させる。
【００２９】
このような状態になったときの背中側から視た斜視図を図４に示す。
【００３０】
本実施例１に係る腰用サポータ１０の装着前の状態を図５（ａ）に示し、装着後の状態を図５（ｂ）に示す。
【００３１】
図５（ｂ）に示したように、本実施例１に係る腰用サポータ１０を、身体１００の腰部にフィットするように巻き付けた場合、腰用サポータ１０の上縁部がその中央部が最高位となるように湾曲しているために、腰用サポータ１０の左右の両端部の係止される部分は、身体１００の下腹部に位置する。
【００３２】
従って、この腰用サポータ１０を装着した場合、腰骨１０２の上部の関節部分には、図５（ｂ）に示したように、斜め下方に向う力Ｘ１が作用することになり、しっかりとした所謂「Ｓ」字状カーブを形成することができる。
【００３３】
補助ベルト３１ａ，３１ｂは、この所謂「Ｓ」字状カーブの保持力を強化するように作用する。
【００３４】
なお、先に説明したように、本実施例１に係る腰用サポータ１０においては、身体１００に装着した際、その支持部材２３ａ，２４ａ等は身体１００にフィットした状態で上下方向に延在して位置する。
【００３５】
さらに、本実施例１に係る腰用サポータ１０の支持部材２１ａ，２１ｂ，・・・・，２４ｂは、先に説明したように「コイルボーン」によって構成されているため、図６に示したように身体１００を横に傾ける場合でもその身体１００の動きに合わせて「コイルボーン」が変形するので、使用者の運動能力が制限を受けることはない。
【符号の説明】
【００３６】
１０  腰用サポータ
１１，１２，３３ａ，３３ｂ  係止手段
２０  中心線
２１ａ，２１ｂ，・・・・，２４ｂ  支持部材
３１ａ，３１ｂ，３２ａ，３２ｂ  補助ベルト
１００  身体
１０１  背骨
１０２  腰骨
Ｘ，Ｘ１  力
【図１】
2010207436.tif 000003
【図２】
2010207436.tif 000004
【図３】
2010207436.tif 000005
【図４】
2010207436.tif 000006
【図５】
2010207436.tif 000007
【図６】
2010207436.tif 000008
【図７】
2010207436.tif 000009
【図８】
2010207436.tif 000010
【図９】
2010207436.tif 000011
【図１０】
2010207436.tif 000012